(57)【特許請求の範囲】
【請求項１】
互いに隔置された一対の側壁部と、該両側壁部を連結している部材と、を有している機器本体と、該側壁部の外面に平行な側面部を有するとともに該側壁部の下端より所定の空間をおいて該側壁部の外面に突設された機能部品取付部材と、該機能部品取付部材の該側面部に突設された機能部品と、
該機能部品を突出させるための窓が貫設されるとともに該機能部品取付部材及び該機器本体の該側壁部とを覆う側面板と、該機器本体の頂面部を覆うとともに両端において該側面板と一体に連結されている天板部と、を有している外装カバーと、
を有して成り、該外装カバーが該機器本体に対して上から下に向かって移動されることにより該機器本体に該外装カバーがかぶせられるように構成されている電子機器等の外装カバー取付構造であって、
該機器本体に該外装カバーをかぶせていく過程において該機能部品取付部材の該側面を摺動下降して該窓より下方の該側面板の下縁部分を該機能部品よりも外側へたわませるための突部が該側面板の内側面に設けられており、
該突部の下端には該突部を該機能部品取付部材の該側面上に滑らかに誘導するための第一の傾斜面が形成され、該突部の上端には該突部を該機能部品取付部材の該側面上から該機能部品取付部材の直下の空間に滑らかに誘導するための第二の傾斜面が形成されており、
該第一の傾斜面は該側面板に対して内側から外側へ且つ上から下へ向かって傾斜した面として構成され、
該第二の傾斜面は該側面板に対して外側から内側へ向かって且つ上から下へ向けて傾斜した面として構成されており、
該突部が該機能部品取付部材の該側面を摺動通過した後には該側面板の該下縁部分の弾性復原力により該突部が該機能部品取付部材の直下の空間に入り込むと同時に該機能部品が該窓から突出されることを特徴とする、電子機器等の外装カバー取付構造。
【請求項２】
互いに隔置された一対の側壁部と、該両側壁部を連結している部材と、を有している機器本体と、該側壁部の外面に平行な側面部を有するとともに該側壁部の下端より所定の空間をおいて該側壁部の外面に突設された機能部品取付部材と、該機能部品取付部材の該側面部に突設された機能部品と、
該機能部品を突出させるための窓が貫設されるとともに該機能部品取付部材及び該機器本体の該側壁部とを覆う側面板と、該機器本体の頂面部を覆うとともに両端において該側面板と一体に連結されている天板部と、を有している外装カバーと、
を有して成り、該外装カバーが該機器本体に対して上から下に向かって移動されることにより該機器本体に該外装カバーがかぶせられるように構成されている電子機器等の外装カバー取付構造であって、
該機器本体に該外装カバーをかぶせていく過程において該機能部品取付部材の該側面を摺動下降して該窓より下方の該側面板の下縁部分を該機能部品よりも外側へたわませるための突部が該側面板の内側面に設けられており、
該機能部品取付部材の上端には該突部を該機能部品取付部材の該側面上に滑らかに誘導するための第一の傾斜面が形成されており、該第一の傾斜面は該側面板の面に対して機器の内側から外側へ向けて上から下へ斜め方向に傾斜しており、
該突部の上端には該突部が該機能部品取付部材の該側面を通過後に該突部を該機能部品取付部材の該側面上から該機能部品取付部材の直下の空間へ滑らかに誘導するための第二の傾斜面が形成されており、該第二の傾斜面は該側面板の面に対して機器の外側から内側へ且つ上から下へ向けて傾斜した面として構成されており、
該突部が該機能部品取付部材の該側面を摺動通過した後には該側面板の該下縁部分の弾性復原力により該突部が該機能部品取付部材の直下の空間に入り込むと同時に該機能部品が該窓から突出されることを特徴とする、電子機器等の外装カバー取付構造。
【請求項３】
該機能部品が操作用スイッチであることを特徴とする請求項１又は２の電子機器等の外装カバー取付構造。
【発明の詳細な説明】
【０００１】
【産業上の利用分野】
本発明は電子機器等における外装カバー取付構造に関し、特に、該機器の本体の側面に突設された操作用スイッチ等の機能部品が外装カバーから突出するように構成されている電子機器等の外装カバー取付構造に関する。
【０００２】
【従来の技術】
装置本体の外面に突設された操作用スイッチや表示盤等の機能部品が外装カバーから露出されるように構成されている装置は、たとえば複写機やファクシミリや各種の電子機器等において非常に多い。これらの公知の機器における一般的構造は、機器本体の上から箱形の外装カバーをかぶせる構造形式のものが多い。
【０００３】
以下には図５〜図７を参照して、たとえば複写機やファクシミリ等の事務用機器における機器本体及び外装カバーの各部の構造や外装カバーの取付方法などの従来技術を説明する。
【０００４】
図５は従来技術の第一例を示したものであり、６は機器本体、７は箱形の外装カバー、８は機器本体６の側壁部６ａの前端上縁部に取付けられたスイッチ取付部材（スイッチ台）、９は該部材８に取付けられているスイッチ、である。機器本体６は、互いに隔置されるとともに平行に直立した一対の側壁部６ａ及び６ｂと、該両側壁部を連結する頂面部６ｃと、該両側壁部の各々の下端に一体に形成されて前後方向に延在する足６ｄ及び６ｅと、を有している。
【０００５】
一方、外装カバー７は、機器本体６の頂面部６ｃを覆う天板部７ａと、機器本体６の側壁部６ａ及び足６ｄを覆い隠す第一の側面板７ｂと、機器本体６の他方の側壁部６ｂと足６ｅを覆い隠す第二の側面板（不図示）と、機器本体６の後面部を覆い隠す後面板（不図示）と、機器本体６の前部を覆い隠す前面板７ｄと、を有している箱形となっており、機器本体６の足６ｄの全長ｙ及び機器本体６の全幅ｘ（すなわち足６ｄ及び６ｅの外縁間の距離）にほぼ等しい内法を有している。また、外装カバー７の天板部７ａにはスイッチ９を突出させるための窓７ｃが貫設されている。
【０００６】
図５に示す従来例では、機器本体６に外装カバー７をかぶせる時には該カバー７を機器本体６に対して図５の矢印Ａ方向に下降させて該カバー７を機器本体６にかぶせればよい。この構造形式の機器では、外装カバー７を機器本体６に装着する作業は極めて容易に行なうことができるが、スイッチ９が機器の頂面部に配置されているので該機器の頂面部を有効に使用できない（すなわち、外装カバー７の天板部７ａ上に記録用紙等を載せるための面積が少くなる）ことや、記録用紙をスイッチ９の上に載せてしまったためにスイッチ９が動かされてしまう、等の問題が発生する可能性があった。
【０００７】
それ故、最近では、操作スイッチ等の機能部品を機器側面部に配置した構成の機器が多くなっている。
【０００８】
図６に示す従来の機器の第二例では、機器本体６の左側の側壁部６ａの外面にスイッチ取付部材１４（スイッチ台）が取付けられ、該取付部材１４の側面にスイッチ１５が取付けられている。なお、該取付部材１４の下端は機器本体６の足６ａよりも少し上にある。
【０００９】
外装カバー７の左の側面板７ｂには該取付部材１４の前後方向の寸法と同じ幅の切欠き７ｅが貫設され、該切欠き７ｅは図示のように側面板７ｂの下縁に開いている。
【００１０】
図６の構成の機器において、機器本体６に外装カバー７を取付ける場合には、機器本体６の上方から矢印Ａの向き（すなわち下向き）に外装カバー７を下降させてゆき、この際、切欠き７ｅの縁部をスイッチ取付部材１４の前後縁部に沿って摺動させつつ降下させてゆく。該カバー７が機器本体６上にかぶさり、該カバー７の天板部７ａが機器本体６の側壁部６ａの上に乗った後、スイッチ１５の上方部分に露出している該取付部材１４を隠すために目隠し板１０を切欠き７ｅの上方部分に矢印Ｂ方向からはめ込む。
【００１１】
図７に示す従来の機器の第三例では、機器本体６の構造と、該本体６の左側壁部６ａの外面に取付けられたスイッチ取付部材１４及びスイッチ１５の構成は図６の第二例のものと同じであるが、外装カバー１７は左側面板がない構造になっていて該カバー１７は天板部１７ａ及び前面板１７ｃ並びに後面板１７ｂと右側面板（不図示）を有したものとして構成されている。この外装カバー１７を機器本体６に装着する時には、前記第二例と同様に、該カバー１７を機器本体６に矢印Ａの方向に降下させて該本体６にかぶせ、しかる後に該カバー１７の左側面板１８を矢印Ｂ方向に該カバー１７の左側の開口部にはめ込んでから該左側面板１８を該カバー１７に締結する。その際、左側面板１８に貫設されているスイッチ用開口部１８ａからスイッチ１５が露出する。
【００１２】
【発明が解決しようとする課題】
図６に示した従来構造の第二例では、目隠し板１０を外装カバー７とは別部品として製作しなければならないので、部品点数が多くなって部品管理コストや部品製作コストが高くなるばかりではなく機器の組立工数も多くなるので組立コストも増加するという欠点がある。
【００１３】
また、図７に示した従来構造の第三例では、前記第二例と同様に、外装カバー１７とは別体の左側面板１８を製作するコストや該左側面板１８の管理コストなどにより機器製作コストが増大し、更に、左側面板１８の取付工程の分だけ組立コストが増加するという欠点があった。
【００１４】
本発明の目的は、スイッチ等の機能部品を側面に有する機器において、該機器の外装カバーを単一工程で機器本体に装着でき、且つ外装カバーに別部品を必要としない、電子機器等の外装カバー取付構造を提供することである。
【００１５】
【課題を解決するための手段】
前述の如き箱形の外装カバーを機器本体に単一工程で取付けようとする場合にはスイッチが該カバーに衝突してしまうため、該カバーのはめ込み動作の障害になってしまう。
【００１６】
本発明では、この問題を解決するために、外装カバーを機器本体にはめ込む際に該カバーの側面板の下縁部がスイッチ等の機能部品を跨いで移動できるように構成した。すなわち、本発明の構造では、外装カバーの側面板の裏側の下縁部近傍に突部を設け、該突部がスイッチ取付部材の側面を乗り越えていくことにより該側面板の下縁部がスイッチに接触しない位置までたわませられ（弾性変形され）るようになっていることを特徴とする。
【００１７】
【作用】
本発明の構造では、図１に示すように、機器本体４の上から箱形の外装カバー５を矢印Ａ方向に降下させてはめ込む時に、該カバー５の左側面板５ａの裏面の下縁部近傍に固定されている突部１がスイッチ取付部材２の側面２ａに乗り上がり、これにより該左側面板５ａのスイッチ用窓５ｃの下側の部分５ｄがスイッチ３を跨いで下側へ移動するため、該部分５ｄとスイッチ３との接触を起こすことなくスイッチ３を窓５ｃ内に位置させることができ、外装カバー５を単一工程で該本体４に装着することができる。
【００１８】
【実施例】
以下に図１〜図４を参照して本発明の実施例について説明する。
【００１９】
＜実施例１＞
図１及び図２を参照して本発明の第一実施例について説明する。
【００２０】
図１において、４は機器本体、５は機器本体４にかぶせられる箱形の外装カバー、４ａは機器本体４の左側壁部、４ｂは該本体４の右側壁部、４ｃは該本体の両側壁部を連結している頂面部、４ｄは左側壁部４ａの下端に一体成形された足、４ｅは右側壁部４ｂの下端に一体成形された足、２は該本体４の左側壁部４ａの外面に突出固定されたスイッチ取付部材（スイッチ台）、である。外装カバー５は、機器本体４の左側壁部４ａ及び足４ｄ並びにスイッチ取付部材２を覆い隠す左側面板５ａと、該機器本体の右側壁部４ｂ及び足４ｅを覆い隠す右側面板（不図示）と、機器本体４の前面側を覆い隠す前面板（不図示）と、機器本体４の後面側を覆い隠す後面板５ｅと、を有しており、該カバー５の内法寸法は前後方向の寸法がｙ，左右方向の寸法がｘ、にほぼ等しい。外装カバー５の左側面板５ａにはスイッチ３を突出させるための窓５ｃが貫設されており、該左側面板５ａの裏面（内側面）には窓５ｃより後方位置で且つ窓５ｃの下縁よりも下の位置に突部１が設けられている。この突部１は、外装カバー５を機器本体４に対して矢印Ａ方向に下降させていく過程でスイッチ取付部材２の側面２ａに乗り上げさせるように設けられたものであり、該突部１がスイッチ取付部材２の側面２ａに乗り上げることにより該左側面板５ａの窓５ｃより下側の部分５ｄを左外側へたわませ、該部分５ｄがスイッチ３の外側を（スイッチ３にぶつからずに）下降するように設けられている。
【００２１】
突部１をスイッチ取付部材２の側面２ａ上に滑らかに誘導するために、該突部１の下端には、図２に示すように側面板５ａに対して機器の内側から外側に向けて且つ上から下に向けて斜めになった第一の傾斜面１ａが形成されている。また、後述するように、突部１の上端面は図２に示すように側面板５ａに対して外側から内側へ向けて上から下へ斜めに傾斜した第二の傾斜面となっている。
【００２２】
突部１の上端の傾斜面１ｂは、該突部１がスイッチ取付部材２を乗り越えて該部材２の直下の空間に入り込む際に、左側面板下縁部が復原力によって元の状態に戻ろうとする急激な動作を抑制して振動や衝撃を発生させないようにするための機能を有している。更に、外装カバー取りはずしの際、組付作業と同様な効果を有する。なお、機器の幅方向における該突部１の肉厚ａは図２（ａ）に示すように、スイッチ取付部材２の側面２ａからスイッチ３が突出している寸法ｂよりも大きく設計されている。従って、外装カバー５を機器本体４に向かって下降させていく過程で該突部１が図２（ｂ）に示すようにスイッチ取付部材２の側面２ａに乗り上げた状態においては窓５ｃより下側の部分５ｄ（すなわち、カバー下縁部）はスイッチ３よりも更に外側の位置を下降していくことになり、該部分５ｄとスイッチ３との衝突が回避される。
【００２３】
次に、図１及び図２を参照して本実施例の装置における外装カバー取付過程の要部動作を説明する。
【００２４】
機器本体４に外装カバー５を装着する時には、図１の位置から該カバー５を矢印Ａの方向すなわち鉛直下方に下降させる。そして、該突部１の下端の傾斜面１ａが図２（ａ）に示すようにスイッチ取付部材２の上端の角部に係合した時点からは該カバー５を矢印Ａ方向に強く押し下げると、該傾斜面１ａが該部材２の上端の角部を乗り越えて該突部１は図２（ｂ）に示すように該部材２の側面２ａ上に移動し、その結果、該カバー５の窓５ｃよりも下の部分５ｄ（すなわち左側面板５ａの下縁部）が強制的にスイッチ３よりも外側に弾性変形される。そして、この状態において該カバー５を更に押し下げてゆくと、突部１が該部材２の側面２ａに沿って下向きに摺動し、この過程で該部分５ｄがスイッチ３より下の位置まで移動し、従って、該部分５ｄはスイッチ３を跨いで下側の位置まで移動する。そして、該突部１が該部材２の側面２ａを通過すると、該突部１の上端の傾斜面１ｂが該部材２の下端の角部に係合し、該角部が傾斜面１ｂに対して相対摺動することにより該突部１は該部材２の直下の空間に誘導されて入り込み、該部分５ｄが該側面板５ａの復原力により弾性変形が解除されて図２（ｃ）の状態になると同時に、窓５ｃがスイッチ３を露出させる位置に位置決めされ、外装カバーの取付が終了する。
【００２５】
すなわち、本実施例の構造では、機器本体に対する外装カバーの取付工程は単一の作業で済み、該カバーの外に別部品を要しないので従来技術の問題点を解決できる。
【００２６】
＜実施例２＞
図３及び図４を参照して本発明の第二実施例を説明する。本実施例は第一実施例の一部の変形実施例であり、図３において図１と同じ符号で表示されている構成要素は第一実施例と同じ構成要素であるから、該構成要素についての説明は省略する。
【００２７】
図３において、１１は外装カバー５の左側面板５ａの内側面に固定された突部、１２は機器本体４の左側壁部４ａの外面に固定されたスイッチ取付部材（スイッチ台）、である。本実施例の突部１１は下端面が図４に示すように傾斜面ではなくて水平面になっており、上端面のみが内側に傾斜する傾斜面１１ａとなっている。
【００２８】
一方、本実施例のスイッチ取付部材１２は該突部１が摺動通過していく経路に位置する上端面が外向きに傾斜した傾斜面１２ｂとなっている。
【００２９】
機器本体４に外装カバー５を装着する際には、図３の位置から外装カバー５を機器本体４に向けて矢印Ａの方向に下降させ、図４（ａ）のように突部１１の下端面の角部がスイッチ取付部材１２の傾斜面１２ｂに係合したら、以後は該カバー５を強く押し下げる。すると、該突部１１は該部材１２の傾斜面１２ｂに沿って摺動して該部材１２の鉛直な側面１２ａに移行し、図４（ｂ）の状態になる。その結果、窓５ｃより下の部分５ｄがスイッチ３よりも外側位置へ強制的に弾性変形され（たわませられ）、その状態で該カバー５を更に押し下げてゆくと、該部分５ｄはスイッチ３に衝突することなく該スイッチよりも下側位置に移動していく。この時、突部１１はスイッチ取付部材１２の側面１２ａ上を摺動して該部材１２の下縁部に至り、次いで突部１１の上端の傾斜面１１ａが該部材２の下縁部の角部に係合し、該角部が該傾斜面１１ａに対して相対的に上に移動していき、該突部１１が該部材１２の側面１２ａを乗り越えてしまうと、突部１１は該部分５ｄの弾性復原力によって図４（ｃ）に示すようにスイッチ取付部材１２の直下の空間に入り込み、該部分５ｄもそれ自身の復原力によって該部材１２の側面１２ａに近接する位置に復帰する。また、突部１１が該部材１２の直下の空間に入り込んだ時には側面板５ａの窓５ｃがスイッチ３を露出させる位置に位置決めされているので窓５ｃからスイッチ３が露出した状態となって機器本体４に対する外装カバー５の取付が完了する。
【００３０】
以上に説明したように、本実施例においても第一の実施例と同じく、唯一回の作業工程で外装カバーを機器本体に取付けることができる。
【００３１】
なお、本実施例においても図４（ａ）に示すように、突部１１の肉厚ａとスイッチ取付部材１２から突出しているスイッチ３の突出量ｂとの間には第一実施例と同じく、ａ＞ｂの関係が成立していることは当然である。
【００３２】
＜発明と実施例との対応＞
請求項１及び２の機能部品は実施例１及び２に示すスイッチを含むが、更に、表示器なども含まれる。
【００３３】
【発明の効果】
以上に説明したように、本発明の構造によれば、機器本体に外装カバーを取付ける際に該カバーのスイッチ露出用窓の下側の部分５ｄをスイッチ３よりも外側に弾性変形させるための突部を該カバーの内側面に突設し、該突部にスイッチ取付部材（スイッチ台）を乗り越えさせることにより該部分５ｄとスイッチとの衝突を起こさせずに該部分５ｄを通過させるようにしたので、単一の工程で該カバーを機器本体に取付けでき、また、別部品を必要としないので、別部品製作コストや部品管理コストを要することなく、安価なコストで電子機器等を製造することができる。
【図面の簡単な説明】
【図１】本発明の第一実施例の外装カバー取付構造において、機器本体と外装カバーとの組付け前の分解斜視図。
【図２】図１の機器本体４に外装カバー５を組付ける際の両者の要部の相対的位置関係を図１の矢印Ｂ方向から見た図で、（ａ）は外装カバー５の内面の突部１が機器本体４のスイッチ取付部材２の上端に係合した時の図、（ｂ）は該突部１がスイッチ取付部材２の側面２ａに乗り上がった時の状態を示す図、（ｃ）は該突部１が該部材２を乗り越えて外装カバー５が機器本体４に完全に装着された状態を示す図。
【図３】本発明の第二実施例の外装カバー取付構造において、機器本体と外装カバーとの組付け前の状態を示す分解斜視図。
【図４】図３の機器本体４に外装カバー５を組付ける際の両者の要部の相対的位置関係を図３の矢印Ｂ方向から見た図で、（ａ）は外装カバー５の内面の突部１１が機器本体４のスイッチ取付部材１２の上端に係合した時の図、（ｂ）は該突部１１がスイッチ取付部材１２の側面１２ａに乗り上がった時の状態を示す図、（ｃ）は該突部１１が該部材１２を乗り越えて外装カバー５が機器本体４に完全に装着された状態を示す図。
【図５】従来の機器の第一例の機器本体と外装カバーとの組付け前の状態を示す図。
【図６】従来の第二例の機器において機器本体と外装カバーとの組付け前の状態を示す図。
【図７】従来の第三例の機器の機器本体と外装カバーとの組付け前の状態を示す図。
【符号の説明】
１，１１…突部
２，１２，８，１４…スイッチ取付部材（スイッチ台）
３，９，１５…スイッチ                ４，６…機器本体
５，７，１７…外装カバー
【図１】
0003571752.tif 000002
【図２】
0003571752.tif 000003
【図３】
0003571752.tif 000004
【図４】
0003571752.tif 000005
【図５】
0003571752.tif 000006
【図６】
0003571752.tif 000007
【図７】
0003571752.tif 000008